(57)【特許請求の範囲】
【請求項１】
光源から射出された光により画像を投映する投映部と、
操作部と、
前記投映部の投映が開始されたら、前記光源を第１の光量で一定期間点灯させ、前記一定期間が経過したら前記第１の光量のよりも光量が多い第２の光量まで前記光源から射出される光量を漸次増加させるように制御する光源制御部とを備え、
前記光源制御部は、前記一定期間または前記光源から射出される光量を前記第２の光量まで漸次増加させている期間に前記操作部への操作が行われた場合に、前記光源から射出される光量を前記第２の光量にする電子機器。
【請求項２】
閉状態において前記投映部の投映レンズを保護し、開状態において前記投映レンズから光を射出可能とするカバーと、
前記カバーの開閉状態を検出する検出部と、
前記検出部により前記カバーが開状態となったことを検出した場合には、前記投映部により前記画像の投映を行う投映モードに設定するモード設定部と
を備える請求項１記載の電子機器。
【請求項３】
前記第２の光量は、前記光源が射出可能な最大の光量である請求項１または２記載の電子機器。
【請求項４】
前記第１の光量は、前記第２の光量の５０％以下の光量である請求項１〜３の何れか一項に記載の電子機器。
【請求項５】
前記一定期間は、１秒以上５秒以下である請求項１〜４の何れか一項に記載の電子機器。
【請求項６】
前記光源制御部は、前記光源から射出される光量を３秒以上２０秒以下の期間で前記第１の光量から前記第２の光量まで増加させる請求項１〜５の何れか一項に記載の電子機器。
【請求項７】
前記光源制御部は、前記光源から射出される光量を段階的に増加させる請求項１〜６の何れか一項に記載の電子機器。
【請求項８】
前記光源制御部は、前記光源から射出される光量を連続的に増加させる請求項１〜６の何れか一項に記載の電子機器。
【請求項９】
前記光源から射出された光により読み出される前記画像を表示する表示部と、
前記光源の点灯から前記光源から射出される光量の増加が終了するまでの間に明度が低い前記画像を前記表示部に表示する表示制御部と
を備える請求項１〜８の何れか一項に記載の電子機器。
【請求項１０】
被写体を撮像する撮像部を備える請求項１〜９の何れか一項に記載の電子機器。
【発明の詳細な説明】
【技術分野】
【０００１】
本発明は、電子機器に関するものである。
【背景技術】
【０００２】
リモコンのボタン操作によって投映レンズのカバーの開閉制御が可能なプロジェクタが知られている（例えば、特許文献１参照）。このプロジェクタにおいては、リモコンを用いた投映開始指示が行われた場合であっても、光源からの投映光の射出を規制するセーフモードが設定された状態においてはカバーが閉じられた状態を維持している。
【先行技術文献】
【特許文献】
【０００３】
【特許文献１】特開２０１０−２１１１９９号公報
【発明の概要】
【発明が解決しようとする課題】
【０００４】
しかし、このプロジェクタにおいては、手動でカバーの開閉を行うことは考慮されていなかった。
【０００５】
本発明の目的は、投映レンズのカバーを手動で開閉する場合にも投映開始時の眩しさを抑制することができる電子機器を提供することである。
【課題を解決するための手段】
【０００６】
本発明に係る電子機器は、光源から射出された光により画像を投映する投映部と、操作部と、前記投映部の投映が開始されたら、前記光源を第１の光量で一定期間点灯させ、前記一定期間が経過したら前記第１の光量のよりも光量が多い第２の光量まで前記光源から射出される光量を漸次増加させるように制御する光源制御部とを備え、前記光源制御部は、前記一定期間または前記光源から射出される光量を前記第２の光量まで漸次増加させている期間に前記操作部への操作が行われた場合に、前記光源から射出される光量を前記第２の光量にすることを特徴とする。
【発明の効果】
【０００７】
本発明に係る電子機器によれば、投映レンズのカバーを手動で開閉する場合にも眩しさを抑制することができる。
【図面の簡単な説明】
【０００８】
【図１】本発明の実施の形態に係るカメラの前面を示す斜視図である。
【図２】本発明の実施の形態に係るカメラのカバーの開状態及び閉状態を示す図である。
【図３】本発明の実施の形態に係るカメラのシステム構成を示すブロック図である。
【図４】本発明の実施の形態に係るカメラの投映開始時における処理を示すフローチャートである。
【図５】本発明の実施の形態に係るカメラのＬＥＤから射出される光量制御を示すグラフである。
【発明を実施するための形態】
【０００９】
以下、図面を参照して本発明の実施の形態に係る電子機器についてプロジェクタを備えたカメラを例に説明する。図１は、実施の形態に係るカメラの前面を示す斜視図である。カメラ２はプロジェクタを備えるデジタルカメラであって、筐体４の前面には、被写体光を入射させる撮影レンズ６、投映画像を投映する投映レンズ８、投映レンズ８を保護するレンズカバー１０が設けられている。また、筐体４の上面には、電源スイッチ１２、レリーズ指示を行うレリーズボタン１４が設けられている。
【００１０】
レンズカバー１０は、図２（ａ）の矢印で示すようにスライド可能に設けられている。即ち、図２（ａ）に示す上向きの矢印方向にレンズカバー１０をユーザの手動操作によりスライドさせると閉状態となり、図２（ａ）に示す下向きの矢印方向にユーザの手動操作によりレンズカバー１０をスライドさせると開状態となる。なお、レンズカバー１０は、閉状態においては投映レンズ８の破損を防止する位置となり、開状態においては投映レンズ８から投映画像を投映可能な位置となる。
【００１１】
図３は、実施の形態に係るカメラのシステム構成を示すブロック図である。カメラ２は、ＣＰＵ１６を備え、ＣＰＵ１６には、電源スイッチ１２、レリーズボタン１４、筐体４の背面に設けられ撮影された画像、撮影条件等を表示するＬＣＤ表示部１８、ＬＣＤ表示部１８に表示された撮影条件等を選択するマルチセレクタ２０、撮影レンズ６を介した被写体を撮像して撮像信号（蓄積電荷としてのアナログ信号）を生成するＣＣＤ或いはＣＭＯＳ等により構成される撮像素子２２、撮像素子２２から出力される撮像信号を図示しないＡ／Ｄ変換部においてＡ／Ｄ変換することにより生成された画像データに、ホワイトバランス調整、輪郭補償、ガンマ補正等の画像処理を行う画像処理部２４、画像処理部２４により生成された画像データを記憶するバッファメモリ２６、撮像画像データや投映画像データ、種々のデータを記憶するメモリカード２８、バッファメモリ２６やメモリカード２８に記憶された画像データや種々のデータに基づく投映画像を投映する投映ユニット３０、レンズカバー１０が開状態であるか閉状態であるかを検出するカバー検出部３２が接続されている。
【００１２】
ここで、投映ユニット３０は、光源であるＬＥＤ３４の点灯・消灯制御及びＬＥＤ３４の駆動電流を制御することによりＬＥＤ３４から射出される光量の制御、即ちＬＥＤ３４の輝度の制御を行う光源制御部３６、投映する画像を表示するＬＣＯＳ３８の表示制御を行う投映制御部４０を備えている。
【００１３】
次に、図４に示すフローチャートを参照して実施の形態に係るカメラの投映開始時における処理について説明する。レンズカバー１０が閉状態であり、撮影レンズ６を介した被写体光を撮像素子２２により撮像する撮影モードが設定されている場合には、ＣＰＵ１６はカバー検出部３２によりレンズカバー１０が開状態となったか否かを判断する（ステップＳ１）。
【００１４】
ユーザの手動操作によりレンズカバー１０がスライドされ開状態となった場合には、ＣＰＵ１６は、カバー検出部３２の出力に基づいてレンズカバー１０が開状態となったと判断し、投映ユニット３０により投映画像の投映を行う投映モードを設定する（ステップＳ２）。一方、レンズカバー１０が閉状態のままである場合には、ＣＰＵ１６はステップＳ１に示す処理を繰り返す。
【００１５】
次に、ＣＰＵ１６は光源制御部３６を制御して、ＬＥＤ３４を点灯させ（ステップＳ３）、ＬＥＤ３４から射出される光量の制御を行う（ステップＳ４）。
【００１６】
このとき、まず、ＣＰＵ１６は光源制御部３６を制御して、一定期間ＬＥＤ３４から射出される光量を略一定の光量（微発光の光量）に抑制して、ＬＥＤ３４を点灯させる。即ち、ＬＥＤ３４を一定期間（微発光期間）、略一定の輝度で発光させる。その後、ＣＰＵ１６は光源制御部３６を制御して、パルス幅変調制御（ＰＷＭ）により段階的にＬＥＤ３４から射出される光量を微発光の光量から増加させる。
【００１７】
例えば、図５に示すようにＣＰＵ１６は光源制御部３６を制御して、微発光期間である点灯後３秒間、ＬＥＤ３４から射出される光量を全発光の光量の３０％に制御する。ここで、全発光の光量は、ＬＥＤ３４により射出可能な最大の光量であり、図５においては全発光の光量を光量１００％として示している。
【００１８】
次に、ＣＰＵ１６は光源制御部３４を制御して、各ステップを１秒とし、全発光の光量となるまで光量を１０ステップに分けて増加させる。即ち、各ステップにおいて７％ずつ光量を増加させ、微発光期間が終了してから９秒後に全発光の光量となる。
【００１９】
なお、図５に示す光量制御は一例であり、微発光期間は１〜５秒であることが好ましい。この範囲より短いと投映を開始することをユーザに対して十分に示唆することができず、この範囲より長いと投映開始までの準備時間が長くなる。また、微発光の光量としては、眩しさを抑える観点から全発光の光量の５０％以下であることが好ましい。
【００２０】
また、微発光期間の経過後、ＬＥＤ３４から射出される光量を増加させる期間は、３〜２０秒であることが好ましく、この期間を５秒、１０秒、１５秒とするなど５〜１５秒とすることがさらに好ましい。この範囲より短いと投映を開始することをユーザに対して十分に示唆することができず、この範囲より長いと全発光の光量による投映を行うまでの準備時間が長くなる。また、光量を増加させる期間における光量を増加させるステップ数は５〜２００ステップであることが好ましく、１０〜１００ステップであることがさらに好ましい。
【００２１】
また、ステップＳ３及びＳ４に示す処理において、ＣＰＵ１６は投映制御部４０を制御してＬＣＯＳ３８に表示する投映画像を黒または黒に近い色の投映画像等、明度の低い投映画像を表示させる。これにより、さらに投映開始時の眩しさを抑えることができる。
【００２２】
ＬＥＤ３４から射出される光量が全発光の光量となると、ＣＰＵ１６は図４のフローチャートに示す処理を終了し、投映モードによる投映画像の投映を行う。
【００２３】
また、投映モードにおいてユーザの手動操作によりレンズカバー１０がスライドされ閉状態となると、ＣＰＵ１６はカバー検出部３２の出力に基づいて投映モードを終了し、撮影モードを設定する。
【００２４】
上述の実施の形態に係るカメラによれば、投映レンズのカバーを手動で開閉する場合にも投映開始時の眩しさを抑制することができる。また、部材の追加をすることなく、投映を開始する旨をユーザに対して示唆することができる。
【００２５】
また、上述の実施の形態において、ＰＷＭ制御によりＬＥＤ３４から射出される光量を段階的に増加させる構成としたが、連続的に増加させてもよい。また、段階的に増加させる場合において、点滅させながら点灯時にＬＥＤ３４から射出される光量を段階的に全発光の光量まで増加させてもよい。また、光源としてＬＥＤを用いる構成としたが、ＬＥＤに限らず光源として用いられるものであればＬＥＤに限定されない。
【００２６】
また、上述の実施の形態において、ＬＥＤ３４から射出される光量を全発光の光量まで増加させる構成としたが、投映環境や消費電力を考慮した光量、即ちＬＥＤ３４により射出可能な最大の光量よりも抑制した光量まで増加させる設定としてもよい。この場合には、図４のステップＳ４に示す処理において、ＣＰＵ１６は光源制御部３６を制御して、ＬＥＤ３４から射出される光量を微発光の光量から設定された光量まで増加させる。
【００２７】
また、上述の実施の形態において、図４のステップＳ４に示す制御中にレリーズボタン１４やマルチセレクタ２４を用いた操作が行われた場合には、図５に示す光量の制御を中止し、ＬＥＤ３４から射出される光量を全発光の光量まで増加させてもよい。
【００２８】
また、上述の実施の形態において、レンズカバー１０はスライド可能に設けられているが、レンズカバー１０を筐体４に対して着脱可能な構成としてもよい。
【符号の説明】
【００２９】
２…カメラ、１０…レンズカバー、３０…投映ユニット、３２…カバー検出部、３４…ＬＥＤ、３６…光源制御部
【図１】
0005834570.tif 000002
【図２】
0005834570.tif 000003
【図３】
0005834570.tif 000004
【図４】
0005834570.tif 000005
【図５】
0005834570.tif 000006